(57)【要約】【課題】テレビの梱包材を用いて、このテレビのためのテレビ台を形成する。【解決手段】外装箱１を、側壁２ａが天面側となるように設置し、内部の所定位置に側壁２ｂ、２ｄの幅と同じ長さの緩衝材１１〜１４を側壁２ａ，２ｃ間で狭持するように設置する。この際、緩衝材１１，１２は外装箱１内の正面側の位置に、緩衝材１３，１４は外装箱１内の背面側で且つ、テレビ１００が設置される領域の下の位置に配置される。緩衝材１１，１２には溝が形成されており、この溝に外装箱１の一部である上端壁３１ａ，３１ｃの折り曲げ部３１１ａ，３１１ｃを嵌合させる。このような構成とすることで、外装箱１内の緩衝材１１〜１４が支柱となり、外装箱１とともにテレビ１００の荷重を支える。【選択図】  図１
2006151481.tif 000002
【特許請求の範囲】
【請求項１】
テレビジョン装置を外装する外装箱と、該外装箱と前記テレビジョン装置とに狭持された前記外装箱の対向する側壁間に亘る形状からなる複数の緩衝材とを備えたテレビジョン装置の梱包材において、
前記外装箱は、対向する側壁の一方を天面とし他方を底面として配置されるとともに、前記天面上に前記テレビジョン装置が設置され、前記緩衝材の設置位置を設定する設置位置設定手段と、前記外装箱を部分的に折り曲げた折り曲げ部により形成される前記緩衝材の設置を補助する設置補助手段とを備え、
前記複数の緩衝材は、前記テレビジョン装置の設置位置に応じて前記天面と前記底面との間に挟設されていることを特徴とするテレビジョン装置の梱包材。
【請求項２】
テレビジョン装置を外装する外装箱と、該外装箱と前記テレビジョン装置とに狭持された前記外装箱の対向する側壁間に亘る形状からなる複数の緩衝材とを備えたテレビジョン装置の梱包材において、
前記外装箱は、対向する側壁の一方を天面とし他方を底面として配置されるとともに、前記天面上に前記テレビジョン装置が設置され、
前記複数の緩衝材は、前記テレビジョン装置の設置位置に応じて前記天面と前記底面との間に挟設されていることを特徴とするテレビジョン装置の梱包材。
【請求項３】
前記外装箱は、前記緩衝材の設置位置を設定する設置位置設定手段を備える請求項２に記載のテレビジョン装置の梱包材。
【請求項４】
前記外装箱は、前記緩衝材の設置を補助する設置補助手段を備える請求項２または請求項３に記載のテレビジョン装置の梱包材。
【請求項５】
前記設置補助手段は、前記外装箱を部分的に折り曲げた折り曲げ部により形成される請求項４に記載のテレビジョン装置の梱包材。
【請求項６】
前記設置補助部材により、前記緩衝材の設置位置を設定する請求項４または請求項５に記載のテレビジョン装置の梱包材。
【発明の詳細な説明】
【技術分野】
【０００１】
この発明は、テレビジョン装置を梱包する梱包材、特にテレビジョン装置を取り出した後の梱包材の利用に関するものである。
【背景技術】
【０００２】
従来、テレビジョン装置を製造者から出荷して消費者に至る流通経路においては、テレビジョン装置を外的環境から保護したり、移動中の衝撃を緩衝するために、テレビジョン装置全面を覆う形状の梱包材が使用されている。この梱包材としては、通常、例えば直方体形状からなる外装箱と、この外装箱と内部のテレビジョン装置との間に狭持されて外装箱が受ける衝撃を緩衝する、発泡性材料からなる緩衝部材とを備える。そして、緩衝性や梱包性を向上するために各種構成の緩衝材および梱包方法が提案されている（例えば、特許文献１〜４参照。）。
【特許文献１】特開２００１−２７８３４１公報
【特許文献２】特開平１０−３０５８７５号公報
【特許文献３】特開平１０−１６７３２４号公報
【特許文献４】特開２００２−３３７９４８公報
【発明の開示】
【発明が解決しようとする課題】
【０００３】
ところが、前述の梱包材および外装箱は、消費者の手に渡り外装箱のなかからテレビジョン装置を取り出した時点で梱包部材としての役割が終わり、不要なものとなっていた。この際、当然に外装箱はテレビジョン装置よりも大きいのでテレビジョン装置を設置する室内においておくには非常に邪魔なものであった。また、これらの梱包材をゴミとして捨てる場合にも、外装箱と緩衝材とが違う素材であれば分別しなければならず、非常に消費者にとっては手間であった。さらには、引っ越し等で再度テレビジョン装置を外部に搬出する場合に梱包材を取っておかなければ、新たな梱包材を入手しなければならず、これも消費者にとっては手間であった。そして、引っ越した先の家（場所）においても前述の問題が生じる。
【０００４】
一方で、テレビジョン装置を購入して室内に搬入した時点でテレビ設置台が存在すれば、この設置台上にテレビジョン装置を設置すればよいが、初めてテレビジョン装置を購入した場合等に、設置台を用意することができない場合があり、この場合には、テレビジョン装置を床上の直接設置する等の本来テレビを視聴するに適当でない配置を行わなければならなかった。
【０００５】
したがって、この発明の目的は、テレビ設置台を所持していなくても、購入してきたテレビジョン装置に対してテレビを視聴するのに或程度適当である配置を行うことができるテレビジョン装置の梱包材を提供することにある。
【課題を解決するための手段】
【０００６】
この発明は、テレビジョン装置を外装する外装箱と、該外装箱とテレビジョン装置とに狭持された外装箱の対向する側壁間に亘る形状からなる複数の緩衝材とを備えたテレビジョン装置の梱包材において、外装箱を対向する側壁の一方が天面となり他方が底面となるように配置するとともに、この天面上にテレビジョン装置を設置し、複数の緩衝材を、テレビジョン装置の設置位置に応じて天面と底面との間に挟設させることを特徴としている。
【０００７】
この構成では、テレビジョン装置を内包した外装箱上にテレビジョン装置を設置し、この外装箱内に緩衝材を柱として、天面および底面となる側壁間に挟設させることで、テレビジョン装置の荷重が外装箱の天面を介して、この天面および底面を除く外装箱の壁（テレビジョン装置を設置した状態での側壁）と内部に挟設された緩衝材とにより分散して保持される。これにより、梱包材を構成する外装箱と緩衝材とにより設置台が形成される。この際、緩衝材の設置位置をテレビジョン装置の荷重を効果的に分散する位置（例えば、テレビジョン装置の底面の下で且つ４角に近接する位置）に配置することで、設置台の荷重保持性能が向上する。
【０００８】
また、この発明のテレビジョン装置の梱包材は、外装箱に緩衝材の設置位置を設定する設置位置設定手段を備えることを特徴としている。
【０００９】
この構成では、設置位置設定手段により緩衝材の設置位置が指定されるので、不適当な位置に緩衝材が設置されることが防止される。
【００１０】
また、この発明のテレビジョン装置の梱包材は、外装箱に、緩衝材の設置を補助する設置補助手段を備えることを特徴としている。
【００１１】
この構成では、設置補助手段により緩衝材の設置位置への固定が補助されたり、設置補助手段と緩衝材との組み合わせ形状により強度が増加される。
【００１２】
また、この発明のテレビジョン装置の梱包材は、設置補助手段を、外装箱を部分的に折り曲げた折り曲げ部により形成することを特徴としている。
【００１３】
この構成では、外装箱の折り曲げ部により緩衝材が固定され、且つ緩衝材の強度補強が行われる。また、設置補助部材が外装箱の一部であることで構造が簡素になる。
【００１４】
また、この発明のテレビジョン装置の梱包材は、設置補助手段により、緩衝材の設置位置を設定することを特徴としている。
【００１５】
この構成では、設置補助手段と設置位置設定手段とを統一（同じもので兼用）することで、構造がより簡素になる。
【発明の効果】
【００１６】
この発明によれば、搬送する際には梱包材としてテレビジョン装置を外部環境および衝撃から保護し、視聴する際にはテレビジョン装置の設置台として活用することができる。これにより、梱包材を有効に活用して廃棄する必要が無くなる。さらに、設置台が内情対で、テレビジョン装置を搬入しても梱包材が設置台となるので、視聴するのに適当でない状態でテレビジョン装置を設置することを防止することができる。
【発明を実施するための最良の形態】
【００１７】
本発明の実施形態に係るテレビジョン装置の梱包材について図を参照して説明する。なお、以下では、テレビジョン装置を単に「テレビ」と称し、テレビジョン装置の梱包材を単に「梱包材」と称する。
【００１８】
図１（ａ）はテレビを梱包材に梱包した状態を示す外観図であり、図１（ｂ）はテレビを梱包材から形成した台上に載置した状態を示す外観図である。
【００１９】
図２はテレビを梱包材に梱包した概略構成を示す図であり、テレビの画面（正面）方向を正面として、（ａ）は正面図、（ｂ）は側面図、（ｃ）は上面図、（ｄ）は下面図である。
【００２０】
図３はテレビを梱包材による台上に設置した概略構成を示す図であり、テレビの画面（正面）方向を正面として、（ａ）は正面図、（ｂ）は（ａ）に示すＡ−Ａ’断面図、（ｃ）は（ａ）に示すＢ−Ｂ’面断面図、（ｄ）は（ｂ）に示すＣ−Ｃ’断面図である。
【００２１】
図４は外装箱１の展開図である。
【００２２】
テレビ１００の梱包材は、テレビ１００を内部に収納した状態で略立方体形状の外装箱１と、テレビ１００と外装箱１とにより狭持され、テレビ１００の正面方向の上端角部、下端角部、背面方向の上端角部、下端角部にそれぞれ配置された所定強度を有する緩衝材１１〜１４と、を備える。ここで、外装箱１としては、例えば段ボールのような紙系の素材を用い、緩衝材１１〜１４としては、例えば発泡スチロールや折り曲げ段ボールのような素材、すなわち、適度な強度且つ弾性を有する素材を用いる。
【００２３】
外装箱１は形状が略同じ正方形状の側壁２ａ〜２ｄと、各側壁２ａ〜２ｄの上面側に接続され、側壁２ａ〜２ｄに同じ幅で長さが略１／２の上辺壁３１ａ〜３１ｄと、各側壁２ａ〜２ｄの下面側に接続され、側壁２ａ〜２ｄと同じ幅で長さが略１／２の下辺壁３２ａ〜３２ｄとが一体形成されている。そして、梱包用として組み立てた状態で、側壁２ａと側壁２ｃとが対向し、側壁２ｂと側壁２ｄとが対向する関係にある。また、上辺壁３１ａと下辺壁３２ａ、上辺壁３１ｂと下辺壁３２ｂ、上辺壁３１ｃと下辺壁３２ｃ、上辺壁３１ｄと下辺壁３２ｄとが対向する関係にある。また、テレビ１００を梱包する際には、側壁２ａ〜２ｄで上下方向に開口した断面正方形の筒状体を形成し、底面側で下辺壁３２ａ，３２ｃを筒状体の内側に折り曲げて、さらに下辺壁３２ｂ，３２ｄを折り曲げることで、外装箱１の底面を形成する。そして、緩衝材１１〜１４を正面上下端辺と背面上下端辺とに設置したテレビ１００を入れて、天面側で、まず、上辺壁３１ａ，３１ｃを折り曲げて、さらに上辺壁３１ｂ，３１ｄを折り曲げることで外装壁の天面を形成する。
【００２４】
緩衝材１１、１２は略同じ形状であり、具体的には、側壁２ａの幅（すなわち全側壁の幅）の長さで、且つ所定幅（長さ方向に垂直な方向の幅）の４面からなる太さの四角柱状であり、テレビ１００が当接する部分には、四角柱の側面の１角から２面方向に所定長さ且つ深さの凹部が形成されおり、この凹部にテレビ１００の正面上端辺（角部）および正面下端辺（角部）が挿嵌される。
【００２５】
緩衝材１３，１４は緩衝材１３の方が凹部の深さが浅いことを除けば、略同じ形状であり、具体的には、側壁２ｃの幅（すなわち全側壁の幅）の長さで、且つ所定幅（長さ方向に垂直な方向の幅）の４辺からなる太さの四角柱状であり、テレビ１００が当接する部分には、四角柱の側面の１角から２面方向に所定長さ且つ深さの凹部が形成されおり、この凹部にテレビ１００の背面上端辺（角部）および背面下端辺（角部）が挿嵌される。
【００２６】
このように緩衝材１１〜１４にテレビ１００の４つの辺部を挿嵌した状態で、この複合体の外形が外装箱１の内径に略一致するので、テレビ１００は緩衝材１１〜１４により外装箱１に固定される。そして、緩衝材１１〜１４を介することで外部からの衝撃が緩衝材１１〜１４により緩和される。また、テレビ１００は外装箱１に内包されるので、外部環境すなわち光や埃から保護される。
【００２７】
このような梱包材は、図１（ｂ）および図３に示すように、内包していたテレビ１００を取り出した後、所定の組み立てを行うことでテレビ台として利用することができる。
【００２８】
次に、テレビ台として利用する場合の構造および組み立て方法について説明する。
【００２９】
梱包材のテレビ台は、底面側が側壁２ｃとなり天面側が側壁２ａとなるように外装箱１が配置され、梱包状態での底面部にあたる下辺壁３２ａ〜３２ｄはそのままの形状に組み立てられている。
【００３０】
この外装箱１の内部には、緩衝材１１〜１４が設置されている。緩衝材１１，１２は外装箱１の正面側（上辺壁３１ａ〜３１ｄが存在する側）の端面に設置されており、緩衝材１３，１４は外装箱１の背面側（下辺壁３２ａ〜３２ｄが存在する側）と正面−背面間方向の略中央位置との中間部で、天面上に配置されたテレビ１００の背面よりも所定長さ中心側の位置に設置されている。なお、この緩衝材１３，１４の設置位置は、天面上に配置されたテレビ１００の重心およびテレビ１００から外装箱１に加わる荷重の分布により適当な位置に配置すればよい。ここで、緩衝材１１〜１４は対向する側壁２ａ，２ｃ間の長さ、すなわち側壁２ｂ，２ｄの幅（上下方向の長さ）に等しいので、緩衝材１１〜１４が外装箱１の支柱として機能する。ここで、緩衝材１１，１２はテレビ１００が当接する凹部が台として設置される外装箱１の幅方向の中心方向を向くように配置されており、緩衝材１３，１４はテレビ１００が当接する凹部が台として設置される外装箱１の幅方向の端方向を向くように配置されている。
【００３１】
また、緩衝材１１，１２はそれぞれ上端付近と下端付近の凹部の端部に溝が形成されており、この溝に所定形状に加工された上辺壁３１ａの折り曲げ部３１１ａおよび上辺壁３１ｃの折り曲げ部３１１ｃが嵌合されて固定されている。このように、緩衝材１１，１２と外装箱１の一部である上辺壁３１ａ，３１ｃの折り曲げ部３１１ａ，３１１ｃとが嵌合により固定されることで、これらの複合体の強度が増加し、テレビ１００の荷重に対する保持強度を高くすることができる。さらに緩衝材１１，１２が上辺壁３１ａ，３１ｃにより固定されるので、組み立て後にも緩衝材１１，１２がずれることがない。すなわち、上辺壁３１ａ，３１ｃが本発明の「緩衝材の設置補助部材」に相当する。また、折り曲げ部３１１ａ，３１１ｃの側面形状が緩衝材１１，１２に形成された溝の形状と同じであるので、これらを嵌合させることで、緩衝材１１，１２の設置位置を簡単に設定することができる。すなわち、上辺壁３１ａ，３１ｃが本発明の「緩衝材の設置位置設定手段」に相当する。
【００３２】
また、緩衝材１３，１４の設置位置には、外装箱１の側壁２ａ，２ｃの一部を折り曲げてなる位置決め片５３ａ〜５３ｆ，５４ａ〜５４ｆが形成されており、緩衝材１３の上端を位置決め片５３ａ〜５３ｃに当接させ、緩衝材１３の下端を位置決め片５３ｄ〜５３ｆに当接させることで、緩衝材１３を所定位置に設置し、緩衝材１４の上端を位置決め片５４ａ〜５４ｃに当接させ、緩衝材１４の下端を位置決め片５４ｄ〜５４ｆに当接させることで、緩衝材１４を所定位置に設置する。ここで、位置決め片５３ａ〜５３ｃは緩衝材１３の上端の異なる３側面に当接し、位置決め片５３ｄ〜５３ｆは緩衝材１３の下端の異なる３側面に当接するので、緩衝材１３は平面的に位置決めされる。また、位置決め片５４ａ〜５４ｃは緩衝材１４の上端の異なる３側面に当接し、位置決め片５４ｄ〜５４ｆは緩衝材１４の下端の異なる３側面に当接するので、緩衝材１４も平面的に位置決めされる。すなわち、これら位置決め片５３ａ〜５３ｆ、５４ａ〜５４ｆも本発明の「緩衝材の設置位置設定手段」に相当する。
【００３３】
このような構成とすることで、搬送時にはテレビ１００を保護する梱包材を用いて、このテレビ１００を載置するテレビ台を形成することができる。この際、緩衝材を台の支柱として用いることで、テレビ１００の荷重に耐え得るテレビ台を形成することができる。さらに緩衝材と外装箱の一部とを組み合わせることにより強度を増すことができる。
【００３４】
そして、このように梱包材を用いてテレビ台を形成することで、梱包材を廃棄する必要が無く、さらに、テレビ購入時にテレビ台がなかったとしても、視聴に不適当な位置（例えば、床）にテレビを置かなくても済む。さらに、再度外部へテレビを搬送する際にこの台を搬送用の梱包材として用いることで、新たな梱包材を必要とすることなくテレビの梱包を行うことができる。
【００３５】
次に、テレビ台の作り方について説明する。
【００３６】
（１）まず、底面側の下辺壁３２ａ〜３２ｄは梱包状態を同じ形状のままに組み立てておき、中から緩衝材１１〜１４を取り出しておく。側壁２ａ〜２ｄのうち側壁２ａを天面側に側壁２ｃ側を底面側にして配置する。
【００３７】
（２）次に、上辺壁３１ａ，３１ｃから図４に示す除去部３１２ａ，３１２ｃ，３１３ａ，３１３ｃを取り除き、平面視した形状が２段の凸形状からなる折り曲げ部３１１ａ，３１１ｃを形成する。
【００３８】
（３）折り曲げ部３１３ａ，３１３ｃを、最も幅の広い部分と中間幅との境界で外装箱１の内部方向に折り曲げるとともに、外装箱１に備えられた位置決め片５３ａ〜５３ｆ，５４ａ〜５４ｆを外装箱１の内部方向に折り曲げる。
【００３９】
（４）緩衝材１３，１４を外装箱１内に配置し、その上端および下端を位置決め片５３ａ〜５３ｆ，５４ａ〜５４ｆに当接させる。
【００４０】
（５）緩衝材１１，１２を外装箱１内に配置し、緩衝材１１、１２に形成された溝を折り曲げ部３１１ａ，３１１ｃの側端部に嵌合させる。
【００４１】
（６）外装箱１からなる台の天面（側壁２ａ）上にテレビ１００を載置する。
【００４２】
（７）必要に応じて残った上辺壁３１ｂ，３１ｄを前面扉として利用する。
【００４３】
以上のように、この構成を用いることで、簡単に梱包材を利用したテレビ台を組み立てることができる。
【図面の簡単な説明】
【００４４】
【図１】テレビを梱包材に梱包した状態を示す外観図、および、テレビを梱包材から形成した台上に載置した状態を示す外観図
【図２】テレビを梱包材に梱包した概略構成を示す図
【図３】テレビを梱包材による台上に設置した概略構成を示す図
【図４】外装箱１の展開図
【符号の説明】
【００４５】
１−外装箱
２ａ〜２ｄ−側壁
１１〜１４−緩衝材
３１ａ〜３１ｄ−上端壁
３１１ａ，３１１ｃ−折り曲げ部
３１２ａ，３１２ｃ，３１３ａ，３１３ｃ−除去部
３２ａ〜３２ｄ−下端壁
５３ａ〜５３ｆ，５４ａ〜５４ｆ−位置決め片
１００−テレビジョン装置
【図１】
2006151481.tif 000003
【図２】
2006151481.tif 000004
【図３】
2006151481.tif 000005
【図４】
2006151481.tif 000006